(57)【要約】【課題】広告として設置、配布、表示される物の多くは紙やシート状、液晶画面などに広告内容を記した平坦な一面状となっている。また広範囲に繰り返し宣伝情報を発信出来るテレビやラジオ、インターネット等に代表されるマスメディアを通じた広告は、受け手が受信しなければ効果が無く、受けたとしても瞬時に消え去る。一方、受け手に届き形状として残るチラシやダイレクトメールも読まずに破棄されるなど、注視される確立は低い。そのため特に街中では、目立つことを最優先させた広告物が氾濫し美観や景観を著しく損ねている。このような商業主義優先からくる美的要素の欠如や景観の破壊、及び資金や労力を費やしても広告効果が低い、従来の広告物や広告方法の問題点の解決を課題とする。【解決手段】本発明の、植物を利用する広告物を広告媒体として活用し、広汎で効果的な広告宣伝を為すことによって、上記課題を解決する。【選択図】図１
2005301193.tif 000002
【特許請求の範囲】
【請求項１】
植物を利用する広告物
【請求項２】
植物を利用する広告物の広告方法
【請求項３】
広告を付与する植物内包外容器
【発明の詳細な説明】
【技術分野】
【０００１】  本発明は、植物を利用する広告物と、その広告方法に関するものである。
【背景技術】
【０００２】  従来、広告として設置、配布、表示される物の多くは、紙やシート状、液晶画面などに広告内容を記した、平坦な一面状となっている。また、広範囲に繰り返し宣伝情報を発信出来るテレビやラジオ、インターネット等に代表されるマスメディアを通じた広告は、受け手が受信しなければなんら効果が無く、受けたとしても瞬時に消え去る。一方、受け手に届き、形状として残るチラシやダイレクトメールを送付したり手渡ししたところで、読まずに破棄されるなど、注視される確立は低い。【０００３】  そのため、特に街中では、例えば、商品名やサービス内容を記した派手な幟を道路沿いに何本も立てる、また、原色を多用した統一感の無い看板が乱立する等の、目立つことを最優先させた広告物が氾濫し、美観や景観を著しく損ねている。【０００４】  そのような広告物の一つとして、幟を例に説明をする。コンビニエンスストア、ファミリーレストラン、スーパー、娯楽施設、またその他のチェーン店、乃至個人商店においても、その店先や公道との境界線上に、商品名やサービス内容を記した大きな幟を数本、または十数本単位ではためかせている様は、どこもかしこも、まるで戦国時代の合戦場の如くであるが、もはや日常の景色として定着した感は否めない。【０００５】  この幟は、ナイロンや布、ビニール等の素材で出来ているため、時間の経過と共に、風雨に晒され紫外線を浴び、排気ガスや粉塵にまみれるなどの結果、劣化が激しい。このように色褪せ薄汚れ擦り切れたり風でよれた幟は見苦しくかえって広告効果を減じている。また、強風に煽られれば転倒し、危険でもある。【０００６】  同様の例として金属や木製、布、ナイロン、ビニール製の看板を挙げる。設置した当初に比べ、時が経てば、錆やへこみ、汚れ、くすみ、破損等が生じ、それが大きく派手なものであったならば尚更不快な圧迫感をもたらし、しかも安易に撤去することもかなわず、近隣の景観に悪影響を及ぼしている。またこれら広告物はときには電柱やガードレール、街路樹やフェンス等に違法に括り付けられるなど公序も乱している。【０００７】  産業の発展とめざましい情報化社会の発達による利点は、日本国中どこに居住していても誰もが等しく、商行為の享受や均一なサービスの供給を受けることが可能となったことだが、そのマイナス面としては、経済競争の激化から、商行為やサービスを宣伝広告する広告物や広告媒体が街中に溢れ、大都市も、地方都市も、同じような景観になりつつある点が挙げられる。このように従来、広告物と景観の創造、環境美化、および広告物と居住空間の向上、共生は不可能であった。
【発明が解決しようとする課題】
【０００８】  本発明は、上述したような、商業主義優先からくる美的要素の欠如や景観の破壊、及び資金や労力を費やしても広告効果が低い、従来の広告物や広告方法の問題点の解決を課題とする。
【課題を解決するための手段】
【０００９】  そこで、本発明の、植物を利用する広告物を広告媒体として活用し、いかなる産業、業種、施設、場所、地域においても、広汎で効果的な広告宣伝を為すことによって、上記課題を解決する。
【００１０】  植物は生育している。且、品種によっては、例えば所謂、観葉植物として一般に広く出回っている植物群は、環境や管理状態に問題が無ければ、旺盛な生命力でもって成長をし続け、株分け、芽挿し、茎挿し等によって増殖し、生育し続ける。この言わば半永久的に生育し、絶える事なく緑を我々に供給してくれる植物の特徴を基幹としたのが、本発明である。
【００１１】  さて、ここで課題解決のための手段を具体的且わかり易くするため、目抜き通りの交差点に面したガラス張りの、ある架空の大手自動車販売会社の支店件ショウルームを仮の例とし説明を続ける。その店舗の内外には観葉植物が何鉢も設置されているのだが、それは見栄えをよくしイメージアップにつなげ、来店者増加に結びつけようという宣伝効果の意図もあろう、道路に面した壁側と出入り口付近により多く並べてあり、その結果、外部からの視線を自然と集めている。行き交う人々をはじめ、通りすがりの車内の人々、信号待ちで佇む人々、同じく信号待ちで停車中のドライバー等、一日の累計とすれば膨大な数に及ぶ人々が、その観葉植物を見ている。しかもその目抜き通りの人の流れや車の往来は絶えることがないので、営業時間内はおろか、終業の後、また早朝から始業までの間も、ショウルームに設置された観葉植物は、一日２４時間、常に人の目にさらされている状態である。
【００１２】  この観葉植物は鉢に植えられている。またその鉢を鉢カバーで覆っているものもある。鉢や鉢カバーの色や大きさ、形状などはまちまちではあるが、いずれも無地、またはそれに準ずる物で、現在市販されている物を使用している。なおこれ以降はわかり易くするため、鉢や鉢カバー、プランター、受け皿、フラワーベース、等、植物の設置に必要な物品の総称を、本発明では植物内包外容器と呼称する。
【００１３】  その植物内包外容器に広告を付与した広告物、すなわち植物を利用する広告物をショウルーム内外に設置すれば、より自然に、効果的に、さらに美観を損ねることなく、来店者のみならず、店外の不特定多数の人々に向け、例えば新商品の告知や、キャンペーン内容を知らせることが出来る。
【００１４】  上記の例は自社内において、自社製品、商品、キャンペーン、サービス等の宣伝広告を行使した場合の説明だが、植物を利用する広告物の設置スペースの提供が可能な、商業施設、公共施設、企業、官公庁、自治体、個人、団体、等においては、すなわち設置許可者は、植物を利用する広告物の設置者、いわゆる広告主に、設置スペースを提供することにより、広告収入を得ることが出来る。その一例として次に、鉄道の駅構内を挙げる。
【００１５】  まず、植物を利用する広告物の設置スペースとして提供可能な場には、例えば、切符売り場、改札、待ち合わせ場所、休息所、喫煙所、通路、ホーム、コンコース、トイレサニタリー、等があり、それらのスペースに、植物内包外容器部に広告内容を付与した、植物を利用する広告物を設置する。その、植物を利用する広告物の広告主は、自社製品の紹介や、自社の宣伝広告、キャンペーン、サービス等の様々な内容を、植物を利用する広告物の植物内包外容器部に付与し、これを広告媒体として活用する。具体例として一部のみを挙げてみると、旅行会社であればツアーの宣伝を、商業施設であれば売り出し広告を、音楽ホールや劇場であれば興業の予告、通信産業であれば新サービスのキャンペーン、医療施設であれば診療科目や診察時間の表示、英会話教室や予備校などの教育産業であれば学校案内、スポーツ競技施設であれば対戦カードや開催するイベントの告知、自治体や官公庁であれば実施事業や施策の公報啓蒙に、飲料会社であれば新商品のＰＲに、という具合である。
【００１６】  これらの場合、設置許可者においては、本発明による植物を利用する広告物を形成する手段には、設置スペースのみの貸し出し、設置スペースと植物を利用する広告物の植物内包外容器部を併せた貸し出し、設置スペースと植物を利用する広告物の植物内包外容器部と植物を併せた貸し出し、さらには、本発明の基幹であり最も重要な要素である、美観や景観の創造に寄与する植物の手入れ管理等に関する取り決め、などに代表されるよう様々であるので、設置者たる広告主との契約で、その詳細を決定すればよい。
【００１７】  また、無論、植物を利用する広告物の設置スペースを上記のように貸し出すと共に、自らが、この例の場合は鉄道会社であるが、その他、設置許可者たり得るすべての、商業施設、公共施設、企業、官公庁、自治体、個人、団体、等においては、植物内包外容器部に広告を付与した、植物を利用する広告物を設置し自社の宣伝広告、自主事業の広告宣伝、公報並びに広報、商行為のＰＲ等様々な宣伝広告を為す広告媒体として活用することも出来る。
【００１８】  次に、本発明の、植物を利用する広告物を、消費者プレゼント、促販景品、キャンペーン商品等に用い、効果的に広告効果を上げる広告方法を述べるが、わかり易くするためにこの場ではまず、ある架空の銀行の例を用いて説明する。
【００１９】  この銀行では年に２度、預金獲得、顧客拡大のため多大なる広告宣伝費を投入し大々的なキャンペーンを行うが、その際、新規顧客、新規契約者に対して、キャンペーン商品を配布している。それらは家庭用品であったり、文具であったりと様々ではあるが、そのすべてにおいて、いずれかの場所に、例えば、銀行名や電話番号、ホームページアドレス、キャッチフレーズ、サービスマーク、マスコットキャラクター、ロゴマーク等が付与された物品であった。これら物品には自ずと広告物としての使命が含まれているのは明らかだが、例えば洗剤や茶葉等の家庭用品や文具のような消耗品では、使用済みの時点で消滅、また耐久性のある食器類やプラスティック製品等に関しても、使用頻度に勘案すれば広告効果は低く、甚だしくは使用されずにしまい込まれ放置される、もしくは破棄される等の場合、資金を掛けて製作しても、その広告効果はゼロである。そこで、本発明の、植物を利用する広告物を、例えばこれらキャンペーン商品として活用する。
【００２０】  植物を利用する広告物の植物内包外容器部に、社名や電話番号、住所、ホームページアドレス、キャチフレーズ、サービスマーク、ブランドマーク、商品名、ロゴマーク、マスコットキャラクター、パッケージデザイン等に代表される、他との認識別物、すなわち宣伝広告内容を付与し、配布する。すると受け手は、その、植物を利用する広告物を、身の回りの目に付く場所に設置する。必ず設置する。なぜなら、本発明の植物を利用する広告物は、所謂、観葉植物の体裁を保っているので、受け手を楽しませるインテリア用品、乃至はインテリアそのものとして使用されるからである。その効能に鑑み、植物を利用する広告物の植物部に用いる植物を、丈夫で管理し易い品種に選定した場合、末永く受け手の身の回りで生育し続け、その間、この植物を利用する広告物の植物内包外容器部に付与された広告内容も常に人の目にさらされ、その効力を発揮し続けるのである。
【００２１】  もし万が一受け手が、この、植物を利用する広告物に使用された植物を枯らしたとしても、その広告宣伝効果になんら支障はないことをここに記す。なぜなら、広告を付与した植物内包外容器は再利用が可能であり、例えばこういったケースでは、受け手が元来所有していた植物を、この、広告を付与した植物内包外容器部に改めてセットすればよいし、また、現在安価に大量に出回り、種類も豊富な植物群の中から、受け手自らが楽しみながら好みの品種を選び、この、広告を付与した植物内包外容器部に新たにセットすればよいからである。このように繰り返し利用されることで長期に渡る広告効果を目論むなら、洗練されたデザインでインテリア性が高い、広告を付与した植物内包外容器の製作に贈り手側が努めればよい。
【００２２】  また上記例のごとくキャンペーン商品や、販促景品等として、製品、商品の購入者及び消費者、利用者等に、本発明の、植物を利用する広告物を配布及び贈与するにあたり、輸送や管理その他諸般の事情から、植物を利用する広告物の、広告を付与した植物内包外容器部のみの提供をもって、植物を利用する広告物と定めることも出来る。この場合は例えば、受け手が元来所有していた植物や、現在安価に大量に出回り、種類も豊富な植物群の中から、受け手自らが楽しみながら好みの品種を選び、この、植物を利用する広告物の、広告を付与した植物内包外容器部にセットし身の回りに設置することにより、広告宣伝を為す。しかも植物を利用する広告物の、広告を付与した植物内包外容器部のみの配布及び贈与という特性を活かせば、例えば、キャンペーンプロジェクトの展開に合わせシリーズ化したり、新商品の発売に合わせ、期間限定、数量限定や、優れたデザイン等に代表される付加価値を持たせた、植物を利用する広告物の、広告を付与した植物内包外容器部を提示していくことから生じる宣伝広告効果で、消費者、購入者、利用者等の購買意欲を沸き起こし結果、販売促進に繋がり、産業として利益が生まれ、また同時に、広告宣伝内容の更新も図れる。
【００２３】  上記方法の補足説明をすると、四季を通じ現代の居住環境の、特に室内においては、植物の生育にとって最適な環境であるので、およそ一年もすれば広告を付与した植物内包外容器部内で生育を続けた植物は株分けの時期を向かえており、受け手や設置者は増殖した植物をセットする個別の植物内包外容器を求める必然に迫られている。そこでこの需要に応え新たに、広告を付与した植物内包外容器部を配布及び贈与すれば、植物を用意しなくても植物を利用する広告物が増えるのである。その際、植物の手入れ管理や株分け方法等を記した説明文などを添付すれば、より効果的である。
【００２４】  上記一例のみの開示でも、本発明の、植物を利用する広告物は、これを配布及び贈与しさえすれば、受け手が身の回りに設置し、長期にわたり有効な広告方法となることは明らかであるので、この植物を利用する広告物の、広告を付与した植物内包外容器部を商品として流通させ、その購入者、さらに購入者が贈答用品に用いた場合はその受け手が身の回りに常設することで、購入者や受け手のみならず、周囲にも植物内包外容器部に付与した広告を認識させ、二次的三次的、且広範囲に広告効果を高めるという特徴をもってして、植物を利用する広告物と、その広告方法の手段の一形態と定める。その際使用する植物はセットで販売してもよいし、購入者や受け手が別途求めてもよいし、購入者や受け手が元来所有していたものを使用してもよい。
【発明を実施するための最良の形態】
【００２５】  以上ここまで述べてきた例えを用いたいくつかの手段は言うまでもなく実施例のほんの一部であって、これに限定されるものではない。本発明の、植物を利用する広告物と、その広告方法は、あらゆる産業、業種、施設、場所、地域、そしてすべての人々において利用可能であることをここに重ねて明記し、以下、図を用いてさらに詳細に実施の形態を説明する。【００２６】  図１及び図２は広告４を植物内包外容器部３に付与し、その植物内包外容器部３に植物２をセットした、本発明の植物を利用する広告物１の一実施形態を表した斜視図である。広告４は植物内包外容器部３に直接付与してもよいし（図２、４）枠部５を設けその枠内にシート状に印刷し挿入してもよいし（図１、４）双方同時に用いてもよい。枠部５内の広告は差し替え可能なので、広告主は広告内容の変更及び更新を随時行うことが出来る。枠部５はフレームのみでもよいし、枠内表面を透明な素材で覆ってもよい。また枠部５内に挿入する差し替え可能な印刷物にはカレンダーやポスター、写真、絵画、カード等も含まれる。【００２７】  図３、図４、図５は、一つの植物内包外容器部３に複数の異なる広告４を付与した場合の一実施形態の、その各々の広告を正面に向けた斜視図である。この例のように同一の植物内包外容器部に異なる広告内容を付与すればより多くの情報を提示出来るので、設置スペースが敷地や建物内の中央部分など周囲に空間がある場合は多方向に、また窓に面して設置すれば建物の内外に同時に広告宣伝を為せる。また設置者はこの植物内包外容器部を旋回させるだけで複数の違った趣のインテリアを手に入れることが出来る。なお、この場合の広告は、複数の異なる広告を組み合わせてもよいし、同一の広告を複数個用いてもよい。【００２８】  図６は植物を利用する広告物１の植物内包外容器部３にパンフレット差込部６を設けた場合の一実施形態の斜視図である。このパンフレット差込部６にチラシやカタログ、クーポン券等の広告物を投入し、広告効果をより高める。その際、パンフレット差込部６に投入する広告内容は広告４に関連するものでもよいし、無関係のものでもよい。【００２９】  図７も植物を利用する広告物１の斜視図である。この場合は植物内包外容器部３のデザインや構造上、またシンプルな植物内包外容器を好む広告主や設置許可者等の意向、さらに景観への配慮などの理由から、植物を利用する広告物１の広告主が特定出来る広告、図８、４を別途明示することを付与とみなし一実施形態とする。この場合の広告、図８、４の表示方法はプレートを用いたりスタンドやポールを用いたり、カードに印刷し万人がこの広告内容を持ち帰れるようにするなど、自由でよい。またホームページや自社広報ＰＲ誌、パンフレット、チラシ等に写真やコンセプト、広告内容、設置場所の所在地等を載せるなどの方法でもよい。【００３０】  本発明の植物を利用する広告物１の植物内包外容器部３に植物２をセットする方法は植物内包外容器部に直接植え込んでもよいし、植物内包外容器部内に個別に植えた植物を並べてもよいし、植物内包外容器部に活け込んでもよい。またこれら方法を単体で実施してもよいし、組み合わせてもよいし、すべて同時に行ってもよい。【００３１】  本発明の基幹である植物の生育、維持管理等に支障をきたさない範疇であれば、植物内包外容器部３は、耐水性のあるものや防水加工を施したものから、通水性のある紙、布、木、皮、また網目状やレース状に加工した素材等、どのような材質のものを用いて製作しても構わない。またその形状や大きさも、植物の生育、維持管理に支障をきたさない範疇であればどのようなものでも構わない。例として一部述べれば、ハウスメーカーが自社商品を模しコート紙で形成した家の形をした植物内包外容器、自動車メーカーが自社製品を模しアルミニュウムで形成した車の形をした植物内包外容器、化粧品会社が自社商品を模しガラスで形成した香水瓶の形をした植物内包外容器、ちなみに図９はその正面を用いた斜視図であり、図１０は裏面を用いた斜視図である。さらに続けると菓子食品メーカーが自社商品を模しプラスティックで形成した商品パッケージの形をした植物内包外容器、スポーツチームがユニホームを模しステンレスで形成した植物内包外容器、等である。ここに挙げた例のように広告主の限定や認知を知らしめる効果を持たせた植物内包外容器を、本発明の、植物を利用する広告物と、その広告方法を利用するすべての広告主やその製作者は自由な発想を持ち意匠を凝らして形成すればよい。この場合は植物内包外容器が広告内容そのものとして認知されるので、植物内包外容器の形状や意匠にすでに広告が付与されていると定めるが、そこにまた別途広告を図１０、４のように付与しても構わない。【００３２】  また例えば、宣伝広告費を潤沢にかけられないときや、短期間に大量の広告を付与した植物内包外容器が必要なとき等は、ステッカー、ワッペン、シール、テープ、リボン、プレート、カード、等に広告内容を記したものを、現在安価に市販され容易く手に入る、所謂、植木鉢、プランター、受け皿、鉢カバー、フラワーベース、小物入れ、等を購入しこれに付与することで、広告を付与した植物内包外容器形成の一実施形態と定める。【００３３】  道路交通法、建築基準法、消防法等の法規を遵守するならば、本発明の、植物を利用する広告物を、建物や敷地内及び道路公園等の植栽部やグリーンベルト、塀や門扉などのエクステリア、外壁等に利用してもよいものと定める。
【発明の効果】
【００３４】  上述してきた説明から明らかになった本発明の効果は、植物を利用する広告物と、その広告方法を利用し有効且長期に渡る宣伝効果を得ることで収益に繋がる広告主や、植物を利用する広告物の設置スペースを提供することで収入を得る設置許可者二者の利益のみではない。本発明による広告物は植物との一体化を為しているので、広告物の出現とは、すなわち、細やかに手入れをされた美しい植物の出現に他ならず、広告物の設置が増えれば増えるほど、街や居住空間にこの美しい植物や緑が増えていくのである。その結果景色は一変し、決して金銭などには換算出来ない豊かな環境をすべての人々に与えることが出来るのである。
【００３５】  また、本発明の、植物を利用する広告物の形成に携わる業務、就労者は、各種製造業、デザイナー、植物園芸農家、造園業、花卉販売業、建設業等をはじめ多岐に及ぶので産業の活性化に繋がり、さらに植物の手入れ管理を専門に行う人員が必要となれば、地域に新たな就労の場を提供出来るなど様々な波及効果をもたらす。
【図面の簡単な説明】
【００３６】
【図１】本発明の一実施形態の斜視図
【図２】本発明の一実施形態の斜視図
【図３】本発明の一実施形態の斜視図
【図４】本発明の一実施形態の斜視図
【図５】本発明の一実施形態の斜視図
【図６】本発明の一実施形態の斜視図
【図７】本発明の一実施形態の斜視図
【図８】広告内容の一例
【図９】本発明の一実施形態の斜視図
【図１０】本発明の一実施形態の斜視図
【符号の説明】
【００３７】１植物を利用する広告物
２植物
３植物内包外容器
４広告
５枠部
６パンフレット差込部
【図１】
2005301193.tif 000003
【図２】
2005301193.tif 000004
【図３】
2005301193.tif 000005
【図４】
2005301193.tif 000006
【図５】
2005301193.tif 000007
【図６】
2005301193.tif 000008
【図７】
2005301193.tif 000009
【図８】
2005301193.tif 000010
【図９】
2005301193.tif 000011
【図１０】
2005301193.tif 000012